(57)【特許請求の範囲】
【請求項１】
建具枠と、その建具枠に取付けた上レール部材、下レール部材と、その上レール部材と下レール部材に沿って移動自在に装着した開閉体を有した建具であって、
前記建具枠は、開閉体移動方向の両側にそれぞれ設けた支持縦部と、この各支持縦部における開閉体移動方向と直角方向の両側に亘って設けた第１横材と第２横材を備え、
前記上レール部材は、建具枠の開閉体移動方向略全長に亘る長さで、その移動方向と直角方向に離隔した一側部と他側部と、この一側部と他側部とに跨って固着された複数の中間部を有した取付用部材と、この取付用部材と別体で、前記複数の中間部に亘って開閉体移動方向と直角方向に間隔を置いて取り付けられた複数の上レールを備え、
前記上レール部材の取付用部材は、その一側部が、前記第１横材の上面に接して仮支持され、かつ第１横材の縦面にねじで固着して取り付けられると共に、他側部が、前記第２横材の上面に接して仮支持され、かつ第２横材の縦面にねじで固着して取り付けられ、
前記下レール部材は、複数の下レールを開閉体移動方向と直角方向に間隔を置いて有し、
前記各上レールと各下レールに沿って開閉体をそれぞれ移動自在に装着し、
前記複数の開閉体は、建具枠の開閉体移動方向一側部において開閉体移動方向と直角方向に重なり合った開き位置と、建具枠の開閉体移動方向他側方の閉じ位置とに亘って移動し、かつその移動距離がそれぞれ異なる引き戸タイプの建具とし、
前記上レール部材の各上レールを、各開閉体の移動距離に見合う長さとし、
前記取付用部材に上レールを取付けた状態で、その取付用部材の一側部、他側部を第１横材の上面、第２横材の上面に接して仮支持できると共に、第１横材の縦面、第２横材の縦面にねじで固着できるようにしたことを特徴とする建具。
【請求項２】
上レールの取付用部材は、一対の取付縁材間に複数の中間横材を連結したものとし、
前記各取付縁材は、縦片と上外向片を有し、その上外向片を第１・第２横材の上面にシール材を介在して接して仮支持し、縦片を第１・第２横材の縦面にねじで固着して取付け、
前記ねじを螺合することで取付縁材に下向き力が作用してシール材を圧接するようにした請求項１記載の建具。
【請求項３】
第１横材と第２横材とに亘って、上レール部材を覆う天板を取付けた請求項１又は２記載の建具。
【請求項４】
天板は、建具枠の短手方向に複数に分割され、その各天板を短手方向の寸法を調整可能に連結してある請求項３記載の建具。
【発明の詳細な説明】
【技術分野】
【０００１】
本発明は、工場、住宅などの敷地の出入口や、駐車場の出入口にゲートとして用いたり、敷地の駐車スペースにゲートとして用いたり、カーポートの扉、建物出入口の扉等として用いる建具に関する。
【背景技術】
【０００２】
従来、建具としては、建具枠に上レール、下レールを取付け、この上レール、下レールに沿って障子、扉などの開閉体を移動自在に装着した引き戸タイプの建具が提案されている。
例えば、特許文献１，２に開示されたように、建具枠の上枠に上レールを取付けると共に、下枠に下レールを設け、障子に取付けた吊戸車を上レールに走行自在に支承して障子を上下レールに沿って移動自在とした上吊式の建具が提案されている。
【特許文献１】特開２０００−２６５７６６号公報
【特許文献２】特開２００７−９２３６３号公報
【発明の開示】
【発明が解決しようとする課題】
【０００３】
前述した従来の建具は、上枠の下面に上レールが取付けてあるので、建具枠を組み立てた後に上レールを取付けるには、その上レールを下から支えながら取付けることになり、その上レールの取付け作業がやりづらく、時間がかかる。
特に、特許文献２に開示したように複数の障子を移動自在とした建具の場合には、建具枠の上枠の下面に複数の上レールを取付けるので、その上レールの取付け作業がやりづらく、時間がかかる。
【０００４】
本発明の目的は、建具枠に上レールを簡単に、短時間で取付けできるようにした建具とすることである。
【課題を解決するための手段】
【０００５】
本発明は、建具枠と、その建具枠に取付けた上レール部材、下レール部材と、その上レール部材と下レール部材に沿って移動自在に装着した開閉体を有した建具であって、
前記建具枠は、開閉体移動方向の両側にそれぞれ設けた支持縦部と、この各支持縦部における開閉体移動方向と直角方向の両側に亘って設けた第１横材と第２横材を備え、
前記上レール部材は、建具枠の開閉体移動方向略全長に亘る長さで、その移動方向と直角方向に離隔した一側部と他側部と、この一側部と他側部とに跨って固着された複数の中間部を有した取付用部材と、この取付用部材と別体で、前記複数の中間部に亘って開閉体移動方向と直角方向に間隔を置いて取り付けられた複数の上レールを備え、
前記上レール部材の取付用部材は、その一側部が、前記第１横材の上面に接して仮支持され、かつ第１横材の縦面にねじで固着して取り付けられると共に、他側部が、前記第２横材の上面に接して仮支持され、かつ第２横材の縦面にねじで固着して取り付けられ、
前記下レール部材は、複数の下レールを開閉体移動方向と直角方向に間隔を置いて有し、
前記各上レールと各下レールに沿って開閉体をそれぞれ移動自在に装着し、
前記複数の開閉体は、建具枠の開閉体移動方向一側部において開閉体移動方向と直角方向に重なり合った開き位置と、建具枠の開閉体移動方向他側方の閉じ位置とに亘って移動し、かつその移動距離がそれぞれ異なる引き戸タイプの建具とし、
前記上レール部材の各上レールを、各開閉体の移動距離に見合う長さとし、
前記取付用部材に上レールを取付けた状態で、その取付用部材の一側部、他側部を第１横材の上面、第２横材の上面に接して仮支持できると共に、第１横材の縦面、第２横材の縦面にねじで固着できるようにしたことを特徴とする建具である。
【０００９】
本発明においては、上レールの取付用部材は、一対の取付縁材間に複数の中間横材を連結したものとし、
前記各取付縁材は、縦片と上外向片を有し、その上外向片を第１・第２横材の上面にシール材を介在して接して仮支持し、縦片を第１・第２横材の縦面にねじで固着して取付け、
前記ねじを螺合することで取付縁材に下向き力が作用してシール材を圧接するようにできる。
このようにすれば、取付縁材の縦片をねじで固着することによって、その取付縁材の上外向片と第１・第２横材の上面との間を確実に水密することができる。
したがって、ゲートなどの屋外に用いる建具として好ましい。
【００１０】
本発明においては、第１横材と第２横材とに亘って、上レール部材を覆う天板を取付けることができる。
このようにすれば、雨水等が上レール部材に直接吹きつけられることがなく、ゲートなどの屋外に用いる建物として好ましい。
【００１１】
本発明においては、天板は、建具枠の短手方向に複数に分割され、その各天板を短手方向の寸法を調整可能に連結したものにできる。
このようにすれば、短手方向の寸法が異なる建具枠に天板を取付けできる。
【発明の効果】
【００１２】
本発明によれば、上レールを備えた取付用部材を第１・第２横材の上面に跨って仮支持した状態で、その取付用部材を第１・第２横材の縦面にねじで固着して上レールを建具枠に取付けできるから、建具枠に上レールを簡単に、短時間で取付けできる。
しかも、複数の上レールを取付用部材に取付けた状態で、その取付用部材を建具枠に取付けることによって、取付用部材を建具枠を取付けることで、複数の上レールを建具枠に取付けできる。
したがって、複数の上レールを建具枠に簡単に、短時間で取付けできる。
また、複数の上レールが各開閉体の移動距離に見合う長さであるから、コストを安くできる。
また、一側部と他側部と複数の中間部で取付用部材としてあるから、その取付用部材の重量を低減でき、上レール部材を建具枠により一層簡単に取付けできる。
また、上レール部材を、第１横材と第２横材の間に上から落とし込むようにして取付けて取付用部材を第１・第２横材の上面に接して仮支持し、その状態でねじで固着できる。
【発明を実施するための最良の形態】
【００１３】
図１〜図３に示すように、建具枠１に上レール部材２と下レール部材３が取付けてある。
前記上レール部材２と下レール部材３とに沿って開閉体、例えば扉４が開き位置と閉じ位置とに亘って移動自在に装着してある。
これによって、建具、例えば引き戸タイプの建具としてある。
前記建具枠１は、その上部に、第１支持部１ａと第２支持部１ｂ及び第１取付部１ｃ、第２取付部１ｄを有し、この第１支持部１ａと第１取付部１ｃは建具枠１の上部における一側に設けられ、第２支持部１ｂと第２取付部１ｄは建具枠１の上部における前記一側と離隔した他側に設けられ、第１支持部１ａと第２支持部１ｂ及び第２支持部１ｃと第２取付部１ｄはそれぞれ離隔している。
前記上レール部材２は、取付用部材２ａと上レール２ｂを有し、その取付用部材２ａに上レール２ｂが取付けてある。この取付用部材２ａが前記第１支持部１ａと第２支持部１ｂに跨って仮支持されて落下しないように仮保持されていると共に、その取付用部材２ａが前記第１・第２取付部１ｃ，１ｄに固着具で固着されて上レール部材２が建具枠１に取付けてある。
【００１４】
このようであるから、建具枠１を組み立てた状態で、上レール部材２の取付用部材２ａを建具枠１の第１・第２支持部１ａ，１ｂに仮支持して上レール部材２を建具枠１に落下しないように仮保持する。
この状態で、取付用部材２ａを固着具で第１・第２取付部１ｃ、１ｄに固着して上レール部材２を建具枠１に取付けることができる。
したがって、建具枠１に上レール２ｂを簡単に、短時間で取付けできる。
【００１５】
この実施の形態では、複数の扉を備え、上レール部材２は、その取付用部材２ａに複数の上レール２ｂを取付けてあるので、前記取付用部材２ａを前述のように建具枠１に取付けることで、複数の上レール２ｂを取付けでき、建具枠１に複数の上レール２ｂを簡単に、短時間で取付けできる。
また、下レール部材３は本体３ａに複数の下レール３ｂを設けたものとし、その本体３ａを建具枠１に固着して複数の下レール３ｂを取付けしてある。
【００１６】
次に、各部を具体的に説明する。
前記建具枠１の第１支持部１ａと第２支持部１ｂ及び第１取付部１ｃと第２取付部１ｄは扉４の移動方向略全長に亘る長さで、かつ扉４の移動方向と直角方向に間隔を置いて相対向している。以下の説明において扉４の移動方向を長手方向、扉４の移動方向と直角方向を短手方向とする。
前記上レール部材２の取付用部材２ａは、前記第１支持部１ａと第２支持部１ｂにそれぞれ仮支持されていると共に、第１・第２取付部１ｃ，１ｄにそれぞれ固着具で固着される前記長手方向全長に亘る一側部２ｃ、他側部２ｄと、この一側部２ｃと他側部２ｄとに跨って固着された前記短手方向に向かう複数の中間部２ｅを有し、その中間部２ｅは前記長手方向に間隔を置いて設けてある。
この中間部２ｅに亘って上レール２ｂが取付けてある。
【００１７】
このようにすれば、一側部２ｃ、他側部２ｄと複数の中間部２ｅで取付用部材２ａとするから、使用する材料の量が少なく、上レール部材２の重量を軽減できる。
【００１８】
これに限ることはなく、取付用部材２ａを一体形状、例えば板材を折り曲げ加工して第１・第２支持部１ａ，１ｂ、第１・第２取付部１ｃ，１ｄに仮支持、固着される部分と、上レール２ｂを取付ける部分を一体的に有した形状とする。
また、第１支持部１ａ、第１取付部１ｃを建具枠１の上部における扉移動方向一側に設け、他側に第２支持部１ｂ、第２取付部１ｄを設けるようにしても良い。
【００１９】
前記建具枠１は、短手方向に間隔を置いて長手方向に亘る第１横材１０と第２横材１１と、この第１・第２横材１０，１１の長手方向両端部を支持する一対の支持縦部１２を備え、その第１・第２横材１０，１１の上面が前述の第１・第２支持部１ａ，１ｂで、相対向した縦面が前述の第１・第２取付部１ｃ，１ｄである。
前記各支持縦部１２，１２は、短手方向に間隔を置いて配設した２つの縦材１３と、その短手方向に対向した縦材１３の上部間に固着した一対の連結横材１４を有し、その一対の縦材１３の上部間に亘って前記第１・第２横材１０，１１がそれぞれ固着してある。
この支持縦部１２は横材と縦材でＴ字形状としても良いし、パネル体としても良い。
【００２０】
前記扉４は上部に吊戸車４ａを有し、下部に下ガイド４ｂを有している。
そして、前記吊戸車４ａが上レール２ｂに移動可能に吊り下げ支持され、下ガイド４ｂが下レール３ｂに沿って摺動自在にガイドされる。
これによって、上吊式の建具としてある。
これに限ることはなく、扉４の下部に戸車を設け、その戸車を下レール３ｂに沿って走行自在とすると共に、扉４の上部を上レール２ｂに沿って移動自在としても良い。
【００２１】
この実施の形態では、各縦材１３は、その下端部を地面ａに埋設して取付けられ、屋外に設置する建具としてある。
例えば、敷地の出入口に設けるゲートとしてある。
このようであるから、建具枠１の上部に天板５を取付けて上レール部材２及びその取付部分に雨水等が直接に吹きつけられることがないようにしてある。
【００２２】
また、複数の扉４は建具枠１の短手方向に位置をずらして装着され、各扉４を開き位置とすると建具枠１の長手方向一側寄りにおいて短手方向に重なり合うようにしてある。
そこで、建具枠１の短手方向の一側（道路側）における長手方向一側寄りにパネル体６を取付け、前述のように開き位置とした扉４が短手方向一側から見えないようにしてある。
例えば、第１横材１０の長手方向一側寄りに補助縦材７を連結し、この補助縦材７と縦材１３と第１横材１０の長手方向一側寄り部分に亘ってパネル体６が取付けてある。
【００２３】
次に、各部材の具体形状の一例を説明する。
前記建具枠１の第１横材１０、第２横材１１は、図４に示すように、中空部を有する長尺材で、その上面１０ａ，１１ａが前述の第１・第２支持部１ａ，１ｂで、内側の縦面１０ｂ，１１ｂが前述の第１・第２取付部１ｃ，１ｄである。
【００２４】
前記上レール部材２の取付用部材２ａは図４〜図６に示すように、一対の取付縁材２０，２０と、この一対の取付縁材２０，２０間に横架連結した複数の中間横材（中骨）２１を有している。この一方の取付縁材２０が前記一側部２ｃ、他方の取付縁材２０が前記他側部２ｄで、中間横材２１が前記中間部２ｅである。
前記取付縁材２０は縦片２０ａと、この縦片２０ａの上部に外向きに設けた上外向片２０ｂと、前記縦片２０ａの下部に内向きに設けた下内向片２０ｃを有している。
前記中間横材２１は本体２１ａの下部に取付用横板２１ｂを有し、その中間横材２１の下面が一対の取付縁材２０の下内向片２０ｃに載置し、かつ長手方向両端面が一対の取付縁材２０の縦片２０ａに当接してビス２２で固着してある。
前記上レール部材２ｂは、縦向部２３と、その縦向部２３の下部に一体に設けたレール部２４で略Ｌ字形状で、その縦向部２３が中間横材２１の取付用横板２１ｂに固着してある。
例えば、縦向部２３の上部に形成したあり溝２３ａにナット部材２５を挿入して設け、前記取付用横板２１ｂからねじ２６をナット部材２５に螺合して固着してある。
【００２５】
前記一対の取付縁材２０の縦片２０ａを、建具枠１の上方から第１横材１０と第２横材１１との間に挿入し、各上外向片２０ｂをシール材２７を介在して第１・第２横材１０，１１の上面１０ａ，１１ａに接して仮支持する。
この状態で、各縦片２０ａからねじ２８を第１・第２横材１０，１１の内側縦板１０ｃ，１１ｃに螺合して縦片２０ａを第１・第２横材１０，１１の縦面１０ｂ、１１ｂに固着して取り付ける。
前記ねじ２８は、第１・第２横材１０，１１の縦板１０ｃ，１１ｃに、横板（上横板）１０ｄ，１１ｄの下面に接しながら螺合し、そのねじ２８を螺合することで取付縁材２０に下向きの力が作用するようにしてある。
【００２６】
これによって、上外向片２０ｂがシール材２７を押し潰して確実にシールするので、その取付部分（上面１０ａ，１１ａと上外向片２０ｂとの間）から雨水等が、第１・第２横材１０，１１の縦面１０ｂ，１１ｂと取付縁材２０の縦片２０ａとの間、つまり上レール２ｂ側に侵入することがない。
なお、第１・第２横材１０，１１は、その上横板１０ｄ，１１ｄよりも下方に横板を有する形状とし、その横板の下面にねじ２８が螺合するようにしても良い。
【００２７】
前記天板５は、建具枠１の短手方向に分割されて第１天板５ａと第２天板５ｂを有し、その第１天板５ａの短手方向一側部分が、第１横材１０に固着した取付縁材２０の上外向片２０ｂのビスホール２０ｄに螺合したビス５ｃで固着されている。
前記第２天板５ｂは、短手方向一側部分に取付脚片５ｄとビスホール５ｅを有し、その取付脚片５ｄがビス５ｃで中間横材２１、例えば本体２１ａの上面に固着して取付けると共に、第２天板５ｂの短手方向他側部分が第２横材１１に固着した取付縁材２０の上外向片２０ｂのビスホール２０ｄに螺合したビス５ｃで固着して取付ける。
そして、ビスホール５ｅにビス５ｃを螺合することで第１天板５ａの短手方向他側部分と第２天板５ｂの短手方向一側部分が連結される。
【００２８】
前記第１天板５ａと第２天板５ｂは短手方向の寸法を調整可能に連結してある。
例えば、第１天板５ａの短手方向他側部分に短手方向の長穴を形成し、その長穴からビス５ｃを第２天板５ｂのビスホール５ｅに螺合して連結してある。
また、第１天板５ａと第２天板５ｂの短手方向の寸法に合わせて重ね合わせ、第２天板５ｂのビスホール５ｅに位置合わせして第１天板５ａに孔を形成し、その孔からビス５ｃをビスホール５ｅに螺合して連結する。
このようにすれば、短手方向の寸法が異なる建具枠１に天板５を取付けできる。
【００２９】
また、前述のように天板５を２分割すれば、建具枠１の短手方向の寸法が大きく、天板５が一体であるとアルミ押出によって製作するのが困難である場合に有利である。なお、天板５は一体でも良い。
【００３０】
前記下レール部材３の本体３ａは図７に示すように、第１本体３０と第２本体３１を備えている。
前記第１本体３０は横向部３０ａと縦向部３０ｂでＬ字形状で、その縦向部３０ｂが建具枠１の短手方向一側の一対の縦材１３の内側の縦面１３ａにビス３２で固着して取付けてある。
前記第２本体３１は横向部３１ａと縦向部３１ｂでＬ字形状で、その縦向部３１ｂが建具枠１の短手方向他側の一対の縦材１３の内側の縦面１３ａにビス３２で固着して取付けられ、この第２本体３１の横向部３１ａと第１本体３０の横向部３０ａは突き合わせ連結されている。
例えば、各横向部３０ａ，３１ａの下面間に連続して連結部材３３を接し、その連結部材３３からビス３４を各横向部３０ａ，３１ａに螺合して各横向部３０ａ，３１ａを連結している。
【００３１】
前記本体３ａにレール形成部材４０を取付けて下レール３ｂとしてある。このレール形成部材４０は扉移動方向全長（建具枠１の長手方向全長）に亘る長尺材である。
この実施の形態では、複数のレール形成部材４０を建具枠１の短手方向に取付けて複数の下レール３ｂを形成している。
例えば、短手方向一側寄りに一側レール形成部材４−１、短手方向他側寄りに他側レール形成部材４−２、短手方向中間に第１・第２・第３中間レール形成部材４−３，４−４，４５をそれぞれ取付け、各レール形成部材間に溝状の下レール３ｂをそれぞれ形成している。
【００３２】
前記一側・他側レール形成部材４１，４２は、断面矩形状の本体４１ａ，４２ａの短手方向一側に取付片４１ｂ，４２ｂ、他側に取付ヒレ４１ｃ，４２ｃを有している。
前記第１・第２．第３中間レール形成部材４３，４４，４５は、断面矩形状の本体４３ａ，４４ａ，４５ａの短手方向両側に取付片４３ｂ，４４ｂ，４５ｂをそれぞれ有している。
そして一側・他側レール形成部材４１，４２の取付ヒレ４１ｃ，４２ｃを、前記第１・第２本体３０，３１の縦向部３０ｂ，３１ｂに設けた受片３０ｃ，３１ｃの下面に接して浮き上がらないようにし、各取付片４１ｂ，４２ｂ，４３ｂ，４４ｂ，４５ｂを重ね合わせてねじ４６で第１・第２本体３０，３１の横向部３０ａ，３１ａに固着して取付けてある。
【００３３】
この実施の形態では、図３に示すように第１・第２・第３・第４扉４−１，４−２，４−３，４−４を備え、第１扉４−１が短手方向一側（道路側）に位置し、第４扉４−４が短手方向他側（建物側）に位置し、第２扉４−２が短手方向一側寄り、第３扉４−３が短手方向他側寄りにそれぞれ位置している。
そして、第１〜第４扉４−１〜４−４は図３に実線で示す閉じ位置と仮想線で示す開き位置とに亘って長手方向に移動する。
したがって、第１扉４−１の移動距離が最も短く、第２・第３・第４扉４−２，４−３，４−４の移動距離が順次長くなり、第４扉４−４の移動距離が最も長い。
【００３４】
このように、第１〜第４扉４−１〜４−４は建具枠１の短手方向に位置がずれて装着されると共に、各扉の移動距離が異なるので、上レール部材２の上レール２ｂを図４、図５に示すように、第１〜第４扉４−１〜４−４ごとに別々とし、第１・第２・第３・第４上レール２ｂ−１，２ｂ−２，２ｂ−３，２ｂ−４とすると共に、その第１〜第４上レール２ｂ−１〜２ｂ−４を第１〜第４扉４−１〜，４−４の移動距離に対応した長さとしてある。
このようにすることで、上レール２ｂが必要な長さとなるので、コスト安である。
【００３５】
この実施の形態においては図５に示すように、第３上レール２ｂ−３は第４上レール２ｂ−４と同一長さで、閉じ位置の第４扉４−４が第３上レール２ｂ−３の長手方向一側部分と建具枠１の短手方向に隣接するようにしてある。
これによって、第４扉４−４の吊戸車４ａが第４上レール２ｂ−４から外れて短手方向に倒れようとした時に、その第４扉４−４の上部が第３上レール２ｂ−３と干渉して第４扉４−４が短手方向に倒れることを防止できる。
【００３６】
前述の実施の形態においては、屋外用の建具に好ましいものとして説明したが、屋内用の建具や建物外壁体の開口部に取付ける建具としても良い。
【図面の簡単な説明】
【００３７】
【図１】本発明の実施の形態を示す建具の正面図である。
【図２】図１のＡ−Ａ断面図である。
【図３】図１のＢ−Ｂ断面図である。
【図４】建具上部の拡大詳細断面図である。
【図５】建具上部の天板を外した状態の平面図である。
【図６】上レール部材の取付用部材の一部斜視図である。
【図７】建具下部の拡大詳細断面図である。
【符号の説明】
【００３８】
１…建具枠、１ａ…第１支持部、１ｂ…第２支持部、１ｃ…第１取付部、１ｄ…第２取付部、２…上レール部材、２ａ…取付用部材、２ｂ…上レール、３…下レール部材、３ａ…本体、３ｂ…下レール、４…扉（開閉体）、５…天板、１０…第１横材、１０ａ…上面、１０ｂ…縦面、１１…第２横材、１１ａ…上面、１１ｂ…縦面、１２…支持縦部、２７…シール材、２８…ねじ。
【図１】
0005041433.tif 000002
【図２】
0005041433.tif 000003
【図３】
0005041433.tif 000004
【図４】
0005041433.tif 000005
【図５】
0005041433.tif 000006
【図６】
0005041433.tif 000007
【図７】
0005041433.tif 000008